(57)【要約】【課題】最低同期層近傍ｅＮｏｄｅＢをブラインド検出することによってＨｅＮＢの独自の層レベルをいかに判断するか、層レベル及び同期ステータスを間接的にいかに通知するかを決定する。【解決手段】所定の条件が満足されたか否かを判断するように構成された判断手段と、所定の場所で第１の信号を受信するように構成された受信手段と、所定の条件が満足されたと判断手段が判断した場合に複数の所定の場所での第２の信号の送信を阻止するように構成された阻止手段と、所定の条件が満足されたと判断手段が判断した場合に、所定の場所の少なくとも２つに対して第１の信号が所定の場所で受信したかをモニタするように構成されたモニタリング手段と、モニタリング手段のモニタリング結果及び所定の規則に基づいて第１のミュート場所を定義するように構成された定義手段とを含む装置を提供する。【選択図】図３
2014140197.tif 000002
【特許請求の範囲】
【請求項１】
所定の条件が満足されたか否かを判断するように構成された判断手段と、
所定の場所で第１の信号を受信するように構成された受信手段と、
前記所定の条件が満足されたと前記判断手段が判断した場合に複数の前記所定の場所での第２の信号の送信を阻止するように構成された阻止手段と、
前記所定の条件が満足されたと前記判断手段が判断した場合に、前記所定の場所の少なくとも２つに対して第１の信号が該所定の場所で受信されたか否かをモニタするように構成されたモニタリング手段と、
前記モニタリング手段のモニタリング結果及び所定の規則に基づいて、該モニタリング手段に従って第１の信号が受信される前記所定の場所の１つである第１のミュート場所を定義するように構成された定義手段と、
を含み、
前記阻止手段は、前記第１のミュート場所での前記第２の信号の送信を阻止するように構成される、
ことを特徴とする装置。
【請求項２】
第１の同期信号を含む前記第１の信号に基づいてタイミングを制御するように構成された制御手段、
を更に含むことを特徴とする請求項１に記載の装置。
【請求項３】
前記第２の信号は、前記第１の同期信号に対応する第２の同期信号を含むことを特徴とする請求項２に記載の装置。
【請求項４】
前記定義手段は、前記第１のミュート場所及び前記所定の規則に基づいて、該第１のミュート場所とは異なる前記所定の場所の１つである第２のミュート場所を定義するように更に構成され、
前記阻止手段は、前記第２のミュート場所での前記第２の信号の送信を阻止するように更に構成される、
ことを特徴とする請求項１から請求項３のいずれか１項に記載の装置。
【請求項５】
前記第１の信号の受信電力を検出するように構成された電力検出手段、
を更に含み、
前記定義手段は、前記受信電力に基づいて前記第１のミュート場所を定義するように更に構成される、
ことを特徴とする請求項１から請求項４のいずれか１項に記載の装置。
【請求項６】
前記第１の信号の干渉レベルを検出するように構成された干渉検出手段、
を更に含み、
前記判断手段は、前記干渉レベルが所定の閾値よりも大きい場合に前記所定の条件が満足されたと判断するように構成される、
ことを特徴とする請求項１から請求項５のいずれか１項に記載の装置。
【請求項７】
前記所定の条件は、装置の起動、装置による所定の指令の受信、所定のレベルよりも大きい前記第１のミュート場所での前記第１の信号の劣化、及び該条件が以前に満足された後の所定の時間の経過のうちの少なくとも１つを含むことを特徴とする請求項１から請求項６のいずれか１項に記載の装置。
【請求項８】
前記所定の場所以外の送信場所で前記第２の信号を送信するように構成された送信手段、
を更に含み、
前記送信場所は、前記第１のミュート場所に依存し、かつ前記第１のミュート場所とは異なる、
ことを特徴とする請求項１から請求項７のいずれか１項に記載の装置。
【請求項９】
前記所定の規則に従って、前記受信した第１の信号の前記場所に対応する第１の階層レベルが判断され、第２の階層レベルが、該第１の階層レベルの下の次のレベルとして定義され、かつ装置に関連付けられ、前記第１のミュート場所は、該第２の階層レベルから判断されることを特徴とする請求項１から請求項８のいずれか１項に記載の装置。
【請求項１０】
前記階層レベルは、同期の層に対応することを特徴とする請求項９に記載の装置。
【請求項１１】
前記所定の場所は、所定の時間を含むことを特徴とする請求項１から請求項１０のいずれか１項に記載の装置。
【請求項１２】
請求項１から請求項１１のいずれか１項に記載の装置、
を含むことを特徴とする基地局手段。
【請求項１３】
所定の条件が満足されたか否かを判断する段階と、
所定の場所の少なくとも１つで第１の信号を受信する段階と、
前記所定の条件が満足された場合に複数の前記所定の場所での第２の信号の送信を阻止する段階と、
前記所定の条件が満足された場合に、前記所定の場所の少なくとも２つに対して前記第１の信号が該所定の場所で受信されたか否かをモニタする段階と、
前記モニタリング結果及び所定の規則に基づいて、第１の信号が受信される前記所定の場所の１つである第１のミュート場所を定義する段階と、
前記第１のミュート場所での前記第２の信号の送信を阻止する段階と、
を含むことを特徴とする方法。
【請求項１４】
第１の同期信号を含む前記第１の信号に基づいてタイミングを制御する段階、
を更に含むことを特徴とする請求項１３に記載の方法。
【請求項１５】
前記第２の信号は、前記第１の同期信号に対応する第２の同期信号を含むことを特徴とする請求項１４に記載の方法。
【請求項１６】
前記第１のミュート場所及び前記所定の規則に基づいて、該第１のミュート場所とは異なる前記所定の場所の１つである第２のミュート場所を定義する段階と、
前記第２のミュート場所での前記第２の信号の送信を阻止する段階と、
を更に含むことを特徴とする請求項１３から請求項１５のいずれか１項に記載の方法。
【請求項１７】
前記第１の信号の受信電力を検出する段階と、
前記受信電力に基づいて前記第１のミュート場所を定義する段階と、
を更に含むことを特徴とする請求項１３から請求項１６のいずれか１項に記載の方法。
【請求項１８】
前記第１の信号の干渉レベルを検出する段階と、
前記干渉レベルが所定の閾値よりも大きい場合に前記所定の条件が満足されたと判断する段階と、
を更に含むことを特徴とする請求項１３から請求項１７のいずれか１項に記載の方法。
【請求項１９】
前記所定の条件は、装置の起動、該装置による所定の指令の受信、所定のレベルよりも大きい前記第１のミュート場所での前記第１の信号の劣化、及び該条件が以前に満足された後の所定の時間の経過のうちの少なくとも１つを含むことを特徴とする請求項１３から請求項１８のいずれか１項に記載の方法。
【請求項２０】
前記所定の場所以外の送信場所で前記第２の信号を送信する段階、
を更に含み、
前記送信場所は、前記第１のミュート場所に依存し、かつ該第１のミュート場所とは異なる、
ことを特徴とする請求項１３から請求項１９のいずれか１項に記載の方法。
【請求項２１】
前記所定の規則に従って、前記受信した第１の信号の前記場所に対応する第１の階層レベルが判断され、第２の階層レベルが、該第１の階層レベルの下の次のレベルとして定義され、かつ装置に関連付けられ、前記第１のミュート場所は、該第２の階層レベルから判断されることを特徴とする請求項１３から請求項２０のいずれか１項に記載の方法。
【請求項２２】
前記階層レベルは、同期の層に対応することを特徴とする請求項２１に記載の方法。
【請求項２３】
前記所定の場所は、所定の時間を含むことを特徴とする請求項１３から請求項２２のいずれか１項に記載の方法。
【請求項２４】
コンピュータ可読媒体上に具現化されたコンピュータプログラム製品であって、
コンピュータ上で実行された時に請求項１３から請求項２３のいずれか１項に記載の方法の作動をもたらす実行を行うプログラム命令、
を含むことを特徴とする製品。
【請求項２５】
信号を送信するように構成された第１の装置と、
請求項１から請求項１１のいずれか１項に記載の第２の装置と、
を含み、
受信手段が、前記第１の装置によって送信された第１の信号を第１の信号として受信するように構成される、
ことを特徴とするシステム。
【請求項２６】
前記第１の装置は、全地球的航法衛星システムによって同期化され、又は
前記第１の装置は、請求項３に従属する請求項８による装置であり、
前記信号は、第２の同期信号を含む、
ことを特徴とする請求項２５に記載のシステム。
【発明の詳細な説明】
【技術分野】
【０００１】
本発明は、「Ｈｏｍｅ  ｅＮｏｄｅＢ」による同期に対するブラインド検出のための装置、方法、システム、及びコンピュータプログラム製品に関する。
【背景技術】
【０００２】
本出願は、第３世代パートナーシッププロジェクト（３ＧＰＰ）の長期進化（ＬＴＥ）又は長期進化アドバンスド（ＬＴＥ−Ａ）システムに関する。３ＧＰＰ無線アクセスネットワーク作業グループ（ＲＡＮ４）では、ＬＴＥ時分割二重通信（ＴＤＤ）「Ｈｏｍｅ  ｅＮｏｄｅＢ」のための無線同期が課題である。全地球測位システム（ＧＰＳ）受信機を含まない「Ｈｏｍｅ  ｅＮｏｄｅＢ」（ＨｅＮＢ）に対して、ネットワークリスニング方式を使用した無線同期は、本質的な同期技術である。そのタイミング又は周波数を安定に維持するために、「Ｈｏｍｅ  ｅＮＢ」は、別のｅＮＢ又はＨｅＮＢのダウンリンク（ＤＬ）波形を定期的にモニタし、受信した波形に従ってその独自の送信時間及び／又は周波数基準を調節する必要があり、共通基準信号（ＣＲＳ）は、追跡のために使用されるように広く考えられている。
【０００３】
ネットワークリスニングに基づいて、ＨｅＮＢは、ＤＬ波形を追跡するのに適するスロット、例えば、別のｅＮＢ／ＨｅＮＢのＣＲＳを発見する必要がある。隣のＨｅＮＢからの干渉を防ぐために、同期する必要があるＨｅＮＢは、同じスロットにおいてミュートにして追跡すべきである。１つのソースに同期するＨｅＮＢは、同じ層（stratum）のＨｅＮＢとも呼ばれる。
【０００４】
更に、一部のオペレータは、多重ホップ又は多層同期ソリューションをサポートする必要があることがある。これは、図１に示している。図１は、ｅＮｏｄｅＢ（ｅＮＢ）１及び２つのＨｅＮＢ２、３を示している。
【０００５】
この例によると、ＨｅＮＢ２は、その時間／周波数同期をＨｅＮＢ１から導出することができ、それは、次に、その時間をｅＮＢ０から導出し、それは、その時間を全地球的航法衛星システム（ＧＮＳＳ）のような外部基準、例えば、ＧＰＳから導出することができる。この例では、ｅＮＢ０は、層０を有し、ＨｅＮＢ１は、層１を有し、ＨｅＮＢ２は層２を有する。より一般的には、ＨｅＮＢが層ｎの別の（Ｈ）ｅＮＢを追跡する場合、前者のＨｅＮＢの層は、ｎ＋１である。
【０００６】
無線のネットワークリスニングによる同期をサポートするために、ＨｅＮＢは、最初に同期ソースを選択する必要がある。所定の同期ソースに対して、その同期層及び同期ステータスが既知である必要がある。同期ステータスは、ＧＮＳＳに同期するか、又はＧＮＳＳが受信されない隔離されたネットワーク内で自発的に同期することができるかのいずれかである。
【０００７】
この情報から、ＨｅＮＢは、どのスロットでミュートにされるかのようなその独自の同期活動に関して判断することができるべきである。
【０００８】
少なくとも３つの問題が、このような同期に対して生じる。
【０００９】
第１の問題は、低レベル同期ｅＮｏｄｅＢをリッスンすることによってその独自の層レベルを判断し、かつ同期ソースとの同期を維持するために、ＨｅＮＢがその周囲の同期の（Ｈ）ｅＮＢの層をいかに知ることができるかである。第２の問題は、層レベル及び同期ステータスを他者にいかに通知するかである。更に、ソリューションは、Ｍａｃｒｏセルと後方互換性であるべきである。
【００１０】
３ＧＰＰ技術仕様群（ＴＳＧ）ＲＡＮ作業グループ４、会議＃５２ｂ（２００９年８月２４日−２８日）の連絡Ｒ４−０９３４６５において、ネットワークリスニングを実行するためにマルチメディア同報通信単一周波数ネットワーク（ＭＢＳＦＮ）サブフレームを使用するソリューションが提案された。このソリューションは、サブフレームで層情報及び同期ステータスを同報通信させる必要があり、次に、ＨｅＮＢは、その独自の層を判断することができる。
【００１１】
ＭＢＳＦＮサブフレーム割り当てソリューションを実施するために、ｅＮｏｄｅＢの層レベル及び同期ステータスを示す信号送信を指定すべきである。
【００１２】
提案されたソリューションによると、例えば、「Ｍａｃｒｏ  ｅＮｏｄｅＢ」及び「Ｈｏｍｅ  ｅＮｏｄｅＢ」の「システム情報同報通信（ＳＩＢ）」に信号送信する際に２つの新しいインジケータを追加する必要がある。
・１ビットは、同期ステータスを示す（ｅＮＢは、ＧＮＳＳによって同期化され、又は同期化されない）。
・２ビットは、層レベル（０、１、２、３）を示し、この提案は、層の数を４に制限すべきであると仮定し、「Ｍａｃｒｏ  ｅＮｏｄｅＢ」は、レベル０であり、「Ｈｏｍｅ  ｅＮｏｄｅＢ」は、１、２、又は３とすることができる。
【００１３】
ミュート化期間パラメータは、この提案では３２０ｍｓに対応する３２無線フレーム（ＲＦ）に固定された。
【００１４】
いずれの新しいＳＩＢ情報作成も、特に「Ｍａｃｒｏ  ｅＮｏｄｅＢ」に対しては重要である。現行の仕様では、全てのＳＩＢ情報は、ｅＮｏｄｅＢ／「Ｈｏｍｅ  ｅＮｏｄｅＢ」向けに設計される代わりに、ユーザ装置（ＵＥ）読取のために使用される。提案されたソリューションは、ＳＩＢ情報使用のこの規則を破ると考えられる。従って、このような新しいＳＩＢ情報要素をＳＩＢ仕様（３ＧＰＰ  ＴＳ  ３６．３３１）に追加しないようにする方がよい。特に、このような情報要素が装置に対する必須の要件になる場合、それは、「Ｍａｃｒｏ  ｅＮｏｄｅＢ」並びに「Ｈｏｍｅ  ｅＮｏｄｅＢ」に影響を与えることになる。いずれの信号送信同報通信も必要としない他者に対して間接的に全ての「Ｈｏｍｅ  ｅＮｏｄｅＢ」にその同期ステータス及び層レベルを示させることができる別のソリューションがある場合、余分な信号送信及び信号送信仕様の努力は必要ではない。
【００１５】
更に、より柔軟にサポートすべきであるより高い層のシナリオが存在する可能性がかなり高い。
【発明の概要】
【発明が解決しようとする課題】
【００１６】
本発明の目的は、従来技術を改善することである。
【課題を解決するための手段】
【００１７】
本発明の第１の態様により、所定の条件が満たされたか否かを判断するように構成された判断手段と、第１の信号を所定の場所で受信するように構成された受信手段と、所定の条件が満たされたと判断手段が判断した場合に複数の所定の場所での第２の信号の送信を阻止するように構成された阻止手段と、所定の条件が満たされたと判断手段が判断した場合に、所定の場所の少なくとも２つに対して第１の信号が所定の場所で受信されたか否かをモニタするように構成されたモニタリング手段と、モニタリング手段のモニタリング結果及び所定の規則に基づいて第１のミュート場所を定義するように構成された定義手段とを含む装置を提供し、第１のミュート場所は、モニタリング手段に従って第１の信号が受信される所定の場所の１つであり、阻止手段は、第１のミュート場所での第２の信号の送信を阻止するように構成される。
【００１８】
第１の態様の装置の修正は以下の通りである。
【００１９】
装置は、第１の同期信号を含む第１の信号に基づいてタイミングを制御するように構成された制御手段を含むことができる。
【００２０】
第２の信号は、第１の同期信号に対応する第２の同期信号を含むことができる。
【００２１】
定義手段は、第１のミュート場所及び所定の規則に基づいて第２のミュート場所を定義するように更に構成することができ、第２のミュート場所は、第１のミュート場所とは異なる所定の場所の１つであり、阻止手段は、第２のミュート場所での第２の信号の送信を阻止するように更に構成することができる。
【００２２】
装置は、第１の信号の受信電力を検出するように構成された電力検出手段を更に含むことができ、定義手段は、受信した電力に基づいて第１のミュート場所を定義するように更に構成することができる。
【００２３】
装置は、第１の信号の干渉レベルを検出するように構成された干渉検出手段を更に含むことができ、判断手段は、干渉レベルが所定の閾値よりも大きい場合に所定の条件が満足されたと判断するように構成することができる。
【００２４】
所定の条件は、装置の起動、装置による所定の指令の受信、所定のレベルよりも大きい第１のミュート場所での第１の信号の劣化、及び条件が以前に満たされた後の所定の時間の経過のうちの少なくとも１つを含むことができる。
【００２５】
装置は、所定の場所以外の送信場所で第２の信号を送信するように構成された送信手段を更に含むことができ、従って、送信場所は、第１のミュート場所に依存し、第１のミュート場所とは異なる。
【００２６】
所定の規則により、受信した第１の信号の場所に対応する第１の階層レベルを判断することができ、第２の階層レベルを第１の階層レベルの下の次のレベルとして定義して装置に関連付けることができ、第１のミュート場所は、第２の階層レベルから判断することができる。
【００２７】
階層レベルは、同期の層に対応することができる。
【００２８】
所定の場所は、所定の時間を含むことができる。
【００２９】
基地局手段又は基地局は、第１の態様による装置を含むことができる。
【００３０】
本発明の第２の態様により、所定の条件が満足されたか否かを判断する段階と、所定の場所の少なくとも１つで第１の信号を受信する段階と、所定の条件が満足された場合に複数の所定の場所での第２の信号の送信を阻止する段階と、所定の条件が満足された場合に、所定の場所の少なくとも２つに対して第１の信号が所定の場所で受信されたか否かをモニタする段階と、モニタリング結果及び所定の規則に基づいて、第１の信号が受信される所定の場所の１つである第１のミュート場所を定義する段階と、第１のミュート場所での第２の信号の送信を阻止する段階とを含む方法を提供する。
【００３１】
第２の態様による方法の修正は以下の通りである。
【００３２】
本方法は、第１の同期信号を含む第１の信号に基づいてタイミングを制御する段階を更に含むことができる。
【００３３】
第２の信号は、第１の同期信号に対応する第２の同期信号を含むことができる。
【００３４】
本方法は、第１のミュート場所及び所定の規則に基づいて、第１のミュート場所とは異なる所定の場所の１つである第２のミュート場所を定義する段階と、第２のミュート場所での第２の信号の送信を阻止する段階とを更に含むことができる。
【００３５】
本方法は、第１の信号の受信電力を検出する段階と、受信した電力に基づいて第１のミュート場所を定義する段階とを更に含むことができる。
【００３６】
本方法は、第１の信号の干渉レベルを検出する段階と、干渉レベルが所定の閾値よりも大きい場合に所定の条件が満足されたと判断する段階とを更に含むことができる。
【００３７】
所定の条件は、装置の起動、装置による所定の指令の受信、所定のレベルよりも大きい第１のミュート場所での第１の信号の劣化、及び条件が以前に満足された後の所定の場所の推移のうちの少なくとも１つを含むことができる。
【００３８】
本方法は、所定の場所以外の送信場所で第２の信号を送信する段階を更に含むことができ、従って、送信場所は、第１のミュート場所に依存し、第１のミュート場所とは異なる。
【００３９】
所定の規則により、受信した第１の信号の場所に対応する第１の階層レベルを判断することができ、第２の階層レベルは、第１の階層レベルより下の次のレベルとして定義して装置に関連付けることができ、第１のミュート場所は、第２の階層レベルから判断することができる。
【００４０】
階層レベルは、同期の層に対応することができる。
【００４１】
所定の場所は、所定の時間を含むことができる。
【００４２】
本方法は、階層構成に対するブラインド検出の方法とすることができる。
【００４３】
本発明の第３の態様により、所定の条件が満足されたか否かを判断するように構成された判断器と、所定の場所で第１の信号を受信するように構成された受信機と、所定の条件が満足されたと判断器が判断した場合に複数の所定の場所での第２の信号の送信を阻止するように構成された阻止器と、所定の条件が満足されたと判断器が判断した場合に、所定の場所の少なくとも２つに対して第１の信号が所定の場所で受信されたか否かをモニタするように構成されたモニタプロセッサと、モニタプロセッサのモニタリング結果及び所定の規則に基づいて、モニタプロセッサに従って第１の信号が受信される所定の場所の１つである第１のミュート場所を定義するように構成された定義器とを含む装置を提供し、阻止器は、第１のミュート場所での第２の信号の送信を阻止するように構成される。
【００４４】
第３の態様の装置の修正は以下の通りである。
【００４５】
装置は、第１の同期信号を含む第１の信号に基づいてタイミングを制御するように構成されたコントローラを含むことができる。
【００４６】
第２の信号は、第１の同期信号に対応する第２の同期信号を含むことができる。
【００４７】
定義器は、第１のミュート場所及び所定の規則に基づいて、第１のミュート場所とは異なる所定の場所の１つである第２のミュート場所を定義するように更に構成することができ、阻止器は、第２のミュート場所での第２の信号の送信を阻止するように更に構成することができる。
【００４８】
装置は、第１の信号の受信電力を検出するように構成された電力検出器を更に含むことができ、定義器は、受信した電力に基づいて第１のミュート場所を定義するように更に構成することができる。
【００４９】
装置は、第１の信号の干渉レベルを検出するように構成された干渉検出器を更に含むことができ、判断器は、干渉レベルが所定の閾値よりも大きい場合に所定の条件が満足されたと判断するように構成することができる。
【００５０】
所定の条件は、装置の起動、装置による所定の指令の受信、所定のレベルよりも大きい第１のミュート場所での第１の信号の劣化、及び条件が以前に満足された後の所定の時間の経過のうちの少なくとも１つを含むことができる。
【００５１】
装置は、所定の場所以外の送信場所で第２の信号を送信するように構成された送信機を更に含むことができ、送信場所は、第１のミュート場所に依存し、第１のミュート場所とは異なる。
【００５２】
所定の規則により、受信した第１の信号の場所に対応する第１の階層レベルを判断することができ、第２の階層レベルは、第１の階層レベルより下の次のレベルとして定義して装置に関連付けることができ、第１のミュート場所は、第２の階層レベルから判断することができる。
【００５３】
階層レベルは、同期の層に対応することができる。
【００５４】
所定の場所は、所定の時間を含むことができる。
【００５５】
基地局又は基地局コントローラは、第３の態様による装置を含むことができる。
【００５６】
本発明の第４の態様により、コンピュータ上で実行された時に本発明の第２の態様による方法の作動をもたらす実行を行うプログラム命令を含むコンピュータ可読媒体上に具現化されたコンピュータプログラム製品を提供する。
【００５７】
本発明の第５の態様により、信号を送信するように構成された第１の装置と、本発明の第１の態様による第２の装置とを含むシステムを提供し、受信手段は、第１の信号として第１の装置によって送信された第１の信号を受信するように構成される。
【００５８】
第５の態様のシステムでは、第１の装置は、全地球的航法衛星システムによって同期することができ、又は第１の装置は、所定の場所以外の送信場所で第２の信号を送信するように構成された送信手段を含む第１の態様による装置とすることができ、送信場所は、第１のミュート場所に依存し、かつ第１のミュート場所とは異なり、信号は、第２の同期信号を含む。
【００５９】
本発明の第６の態様により、信号を送信するように構成された第１の装置と、本発明の第３の態様による第２の装置とを含むシステムを提供し、受信機は、第１の信号として第１の装置によって送信された第１の信号を受信するように構成される。
【００６０】
第６の態様のシステムでは、第１の装置は、全地球的航法衛星システムによって同期させることができ、又は第１の装置は、所定の場所以外の送信場所で第２の信号を送信するように構成された送信機を含む第３の態様による装置とすることができ、送信場所は、第１のミュート場所に依存し、かつ第１のミュート場所とは異なり、信号は、第２の同期信号を含む。
【００６１】
上述の修正のいずれも、それらが例外的代替として特に断らない限り、個々に又はこれらが引用されるそれぞれの態様と組み合わせて適用することができることは理解されるものとする。
【００６２】
更なる詳細、特徴、目的、及び利点は、添付の図面に関して行われる本発明の好ましい実施形態の以下の詳細説明から明らかである。
【図面の簡単な説明】
【００６３】
【図１】本発明の実施形態によるネットワークを示す図である。
【図２】本発明の実施形態による装置を示す図である。
【図３】本発明の実施形態による異なる層を有するｅＮＢ及びいくつかのＨｅＮＢの無線フレーム及びサブフレームのタイミング図を示す図である。
【図４】本発明の実施形態による異なる層を有するｅＮＢ及びいくつかのＨｅＮＢの無線フレーム及びサブフレームの別のタイミング図を示す図である。
【図５】本発明の実施形態による方法を示す図である。
【発明を実施するための形態】
【００６４】
以下に、本発明のある一定の実施形態を添付の図面に関して詳しく説明するが、実施形態の特徴は、他の指示がない限り互いに自由に結合することができる。しかし、ある一定の実施形態の説明は、単に例示的に与えられ、決して開示する詳細に本発明を制限するものとして解釈すべきではないことは明確に理解されるものとする。
【００６５】
更に、装置は、対応する方法を実行するように構成され、場合によっては、装置のみ又は方法のみを説明することは理解されるものとする。
【００６６】
以下に呈示する実施形態では、少なくとも従来技術を超える以下の利点を有するソリューションを説明する。
−「Ｈｏｍｅ  ｅＮｏｄｅＢ」は、その同期ステータス及び層レベルを他者に間接的に示し、いずれの余分な信号送信同報通信も必要ない。従って、信号送信に対する要件はない。更に、「Ｍａｃｒｏ  ｅＮＢ」との後方互換性が保証される。
−３よりも高い層レベルがサポートされる。Ｑｕａｌｃｏｍｍ及びＣＭＣＣの提案で３２ＲＦ（３２０ｍｓ）に固定されているミュート化期間パラメータは、柔軟性がある。従って、本発明の実施形態は、より柔軟性があり、従来のソリューションよりも多くのネットワークシナリオに適合することができる。
【００６７】
従って、本発明は、主に以下の２つの問題を解決するためのソリューションを目標とする。
１．最低同期層近傍ｅＮｏｄｅＢをブラインド検出することによってＨｅＮＢの独自の層レベルをいかに判断するか？
２．層レベル及び同期ステータスを間接的にいかに通知するか？
【００６８】
本発明のある一定の実施形態の主な特徴は、以下の通りである。
１．各層に対して、そのミュート化場所（ミュート化時間又はミュート化スロットともラベル付けされる）である無線フレーム（ＲＦ）／サブフレーム（ＳＦ）へのマッピングが存在する。すなわち、各層に対して、ＨｅＮＢは、そのミュート化スロットにおいてミュート化することになる。
好ましい実施形態では、各層のミュート化スロットは、易しいブラインド検出に対して設計すべきであり、設計は、層に対して１つずつＧＮＳＳ同期タイプ又は隔離された同期タイプに対してある一定の個別の場所であるミュート化場所を順番に配置することにより、ブラインド検出を円滑にすることができる。
２．本発明の実施形態の全てのＨｅＮＢは、各層及びそのミュート化場所のマッピングを知っている。
ａ．マッピング（例えば、マッピングテーブル）は、マッピングテーブルに関してＨｅＮＢに通知する作動及び保守（Ｏ＆Ｍ）指令によって提供することができる。
ｂ．マッピングテーブルはまた、ＨｅＮＢ上に事前に構成することができ、ＨｅＮＢの起動に基づいてロードすることができる。
３．システムフレーム数は、ＨｅＮＢ間で整列しなければならず、それによって全てのＨｅＮＢによって理解されているマッピング規則のミュート化スロットは同じである。
４．ＨｅＮＢは、その層のブラインド検出を実行することになる。これに対して、ＨｅＮＢは、マッピングテーブルに基づいてその周囲の基地局の層を認識し、ある戦略に基づいてその同期ソースを判断し、従って、その独自の層及びミュート化場所を判断することになる。
【００６９】
以下では、以上の原理を説明するある一定の実施形態の一部の詳細を与える。
【００７０】
１）層及びミュート化場所のマッピングテーブル
最初に、一部の実施形態による層及びそのミュート化場所のマッピングテーブルの設計の実施例は、以下の通りとすることができる（他の可能性を除外しない）。
【００７１】
マッピングは、全てのＨｅＮＢによって既知である必要がある以下のような対のリストとすることができる。
（層Ｎ、ＲＦ＃Ａ、ＳＦ＃Ｂ［、反復するミュート化期間Ｍ、同期のタイプＫ、同じ期間におけるＸの連続ミュート化ＲＦ数、同じＲＦにおけるＹの連続ミュート化ＳＦ数］）、ここで、以下の通りである。
Ｎは、ＨｅＮＢの定義した層を示している。
Ａは、Ａに等しいｎ（反復するミュート化反復するミュート化期間の値）を定義する無線フレームを示している。
Ｂは、以前に定義した無線フレームのサブフレーム＃Ｂを示している。
Ｍは、無線フレームの単位を有する反復するミュート化期間を示している。デフォルト値は３２ＲＦとすることができる。
Ｋは、ＧＮＳＳによって同期化され、又は隔離されたネットワーク上で同期化されている同期のタイプを示している。デフォルトは、ＧＮＳＳ同期とすることができる。様々な同期のタイプは、ミュート化場所を配置する場合の様々な規則を有することができる。更に、層全て（同期のタイプ全てを含む）に対して、各層のミュート化場所は固有である。様々な同期のタイプに対して、層数Ｎは、同じとすることができ、ミュート化場所は異なるものにすべきである。
Ｘは、ＲＦ＃Ａに続く同じ期間での連続ミュート化ＲＦ数を示し、デフォルトはゼロとすることができる。
Ｙは、次のＢを持続する同じＲＦ＃Ａにおける連続ミュート化ＳＦ数を示し、デフォルトはゼロとすることができる。
・［］のパラメータは任意的とすることができる。
・一部の実施形態では、パラメータは、オペレータによって又はオペレータの関与によって構成することができ、他では、これらを例えば規格によって事前に定義することができる。
・隔離された同期ケース（すなわち、ＧＮＳＳによる同期がない）は、異なる層によってＧＮＳＳ同期ケースから隔離されていることが好ましい。例えば、隔離された同期は、層１１及び対応するミュート化場所から開始することができる。従って、ＧＮＳＳ同期ネットワークとの分離した同期ネットワークの統合は、ブリッジノードがこれらの間に挿入された場合に容易になる。
・ミュート化場所は、ここで定義されたＲＦ及びＳＦを示すだけでなく、採用されたネットワークリスニングソリューションを詳細に定義しなくてはならない。
〇いずれかがミュート化のためにＭＢＳＦＮを採用し、次に、ミュート化場所は、最初の２つの記号制御チャンネルのない後者の部分を具体的に示さなくてはならない。
〇あるいは、ミュートのために長い保護期間（ＧＰ）の特別なサブフレームを採用し、次に、ミュート化場所は、送信（Ｔｘ）及び受信（Ｒｘ）がＨｅＮＢに対して予想されないＧＰを具体的に示さなくてはならない。
【００７２】
一例として、マッピングを以下のようなテーブルとすることができる。
【００７３】
（表）
2014140197.tif 000003
【００７４】
このテーブルでは、無線フレーム数及びサブフレーム数は、同じラインの層レベルのミュート化場所を示す。マッピングテーブルの様々な設計を様々なシナリオに対して適切なものにすることができる。
【００７５】
マッピングテーブルは、Ｏ＆Ｍ指令によって伝えることができる。例えば、Ｏ＆Ｍセンターは、対応する指令を全ての「Ｈｏｍｅ  ｅＮｏｄｅＢ」に送信することができるが、対応する指令を「Ｍａｃｒｏ  ｅＮｏｄｅＢ」に送信する必要はない。
【００７６】
図３は、本発明の実施形態による様々な層を有するｅＮＢ及びいくつかのＨｅＮＢの無線フレーム及びサブフレームのタイミング図を示し、上記に定義したマッピングテーブルが実行される。
【００７７】
正常なサブフレーム（すなわち、ブラインド検出によって影響を受けない正常な送信及び受信による）は、明るい灰色で示され、対応するネットワーク要素が直接上位の層にリッスンするためにミュートにされるサブフレームは、黒で示されている。
【００７８】
更に、サブフレームは、暗い灰色で示され、対応するネットワーク要素は、上位ＨｅＮＢの上位層リスニングへの干渉を防ぐためにミュートにされる。この第２のミュート化は、本発明の実施形態に対して好ましいが強制的なものではない。
【００７９】
マッピングテーブルが全てのＨｅＮＢに伝えられるので、全てのＨｅＮＢは、マッピングテーブルから図３に示すような層及びミュート化場所を理解することになる。
・層１のＨｅＮＢは、同期を維持するため隣接する「Ｍａｃｒｏ  ｅＮｏｄｅＢ」のダウンリンク波形をモニタするためにミュート化することになる［１、２］（無線フレーム数ｍｏｄ値は１でありサブフレーム数は２である）。
・層２のＨｅＮＢは、隣接する層１ＨｅＮＢをモニタするためにミュート化し［２、２］、同時に、層１ＨｅＮＢがその時間にＭａｃｒｏレベルをリッスンするので、隣の層１ＨｅＮＢへの干渉を防ぐために同じくミュート化することになる［１、２］。
・層３のＨｅＮＢは、隣接するレベル２ＨｅＮＢをモニタするためにミュート化することになり［３、２］、［２、２］は、上位層への干渉を防ぐためにミュート化すべきである。
・かつレベル４のＨｅＮＢは、隣接するレベル３ＨｅＮＢをモニタするためにミュート化することになり［４、２］、［３、２］は、上位層への干渉を防ぐためにミュート化すべきである。
・より多くの層が存在する場合、同様に、ミュート化場所は、既知であると考えられる。
【００８０】
上述のように、マッピングは、実施時にＨｅＮＢ上に事前構成することができ、又はＯ＆Ｍメッセージによって伝えることができる。
【００８１】
Ｏ＆Ｍメッセージによって伝えられる場合、それは、ブラインド検出及び同期作業の前に提供すべきである。ＨｅＮＢが起動している時に、ＨｅＮＢは、Ｓ１干渉を通じてネットワークとの接続を設定し、従って、Ｏ＆Ｍ情報をフェッチすることができる。Ｏ＆Ｍによって伝えることは、これらのマッピングに対して更新を実行する柔軟性も提供し、同時にこの更新は、ネットワーク影響を制限するために非常に低い頻度（数か月又は数年）に行われるはずである。
【００８２】
２）ブラインド検出
一部の実施形態では、ＨｅＮＢは、ブラインド検出の特別な処理を実行し、その同期ソースを判断するための何らかの戦略に基づいて、その周囲の基地局の層を認識するためのマッピングテーブルに照会することになる。従って、これは、その独自の層及びミュート化場所を判断する。この方法を図５に示している。本方法は、各同期期間に対して繰り返すことができる。
【００８３】
段階Ｓ１０で、ブラインド検出処理をトリガする条件が満足されたか否かが考慮される。このような条件は、例えば、ＨｅＮＢの起動、又は所定のＯ＆Ｍ指令の受信、又は最後のブラインド検出処理の後のある一定の時間の経過とすることができる。
【００８４】
一部の実施形態では、作動が開始せず、ユーザ装置（ＵＥ）が取り付けられていない時に、ＨｅＮＢは、起動段階でブラインド検出を行わなくてはならない。
【００８５】
ネットワーク作動中に、同期チェーンに影響を与え、新しい同期ソース選択に至る場合がある隣のノードは、追加又は取り除かれることがある。
【００８６】
隣のノードを取り除くことによって又はこの隣のノードの失敗により、ＨｅＮｂは、その同期ソースを失う場合がある。ブラインド検出処理を開始するための別の条件とすることができるある一定の時間にミュート化場所で同期信号が受信されなかった場合に、これが検出される。
【００８７】
別のノードが追加又は失敗した隣のノードが回復された場合、新しいノードが既存のＨｅＮＢの同期チェーンを偶然に短くした場合に同期ソースの同期信号の受信によりも大きな干渉を引き起こすことがある。また、この場合、ある一定の閾値を超える干渉レベルが検出された場合、作動中のＨｅＮＢは、ブラインド検出の処理を初期化し、その同期ソース及びその独自の層を再判断し、次に、再同期することができる。
【００８８】
このようなトリガ条件が満たされなかった場合（段階Ｓ１０の条件満足＝ノー）、正常な作動が実行され、同期信号は、ＨｅＮＢのミュート時間に送信されない（段階Ｓ６０）。
【００８９】
条件が満たされた場合（段階Ｓ１０の条件満足＝イエス）、以下のブラインド検出処理では、本発明の実施形態によるＨｅＮＢが以下の段階を実行することができる。
【００９０】
１．全ての囲まれたＢＳに対してセルサーチを実行する。ＨｅＮＢは、例えば、ある一定の閾値よりも大きい受信電力に基づいていくつかのＢＳだけをモニタすることを選択することができる。次に、ＨｅＮＢは、マッピングテーブルに列挙された全ての層の全てのミュート化場所で全ての選択されたＢＳ信号をモニタする。これに対して、図５を参照すると、ＨｅＮＢは、マッピングテーブルの全てのミュート化場所でミュート化し（Ｓ２０）、ミュート化場所で信号を受信し（Ｓ３０）、更に受信した信号が、モニタされたＢＳの同期信号か否かをモニタする（Ｓ４０）。
【００９１】
２．最後の段階のモニタリング結果に基づいて、ＨｅＮＢは、周囲の基地局（ＢＳ）の層情報を分析し、その同期ソースを選択し、その独自の層及び対応するミュート化場所を定義する（段階Ｓ５０）。
【００９２】
２．１．  ＨｅＮＢは、隣の基地局の層を識別するために、モニタリング結果とマッピングテーブルを比較することができる。一部の実施形態では、異なるミュート化場所が、ＧＮＳＳ同期化又は分離同期化ノードＢを区別するために定義されている場合、ＨｅＮＢはまた、モニタされたＢＳの同期のタイプを識別することができる。以下の実施例は、上記に定義した例示的なマッピングテーブルを示している。１つの特定のＢＳに対して、以下の分析を実行することができる。
ａ）ＨｅＮＢが、いくつかの反復するミュート化期間の二重検査（例えば、３２０ｍｓの倍数）の後に全ての層の全てのミュート化場所でこのＢＳのダウンリンクサブフレームＣＲＳ全てを読み取ることができる場合、これは、モニタされた基地局がｅＮＢである（又は層０を有する）ことを意味する。
ｂ）ＨｅＮＢが、層１のミュート化場所でのみこのＢＳのＣＲＳを読み取ることができず、例えば、このＢＳのＣＲＳが［１、２］で見出されず、同時にＣＲＳが［２、２］でかつ数回の二重検査で見出される場合、モニタされたＢＳは層１であると結論を下すことができる。
ｃ）いくつかの期間の二重検査の後で、ＨｅＮＢが［１、２］及び［２、２］でのみＣＲＳをリッスンできなかった場合、ＨｅＮＢは、モニタされたＢＳが層２であることを確認することができる。
ｄ）同様に、いくつかの期間の二重検査の後で、ＨｅＮＢが［２、２］及び［３、２］でのみＣＲＳをリッスンできなかった場合、ＨｅＮＢは、モニタされたＢＳが層３であることを確認することができる。
ｅ）同様に、他の層を識別することができる。
【００９３】
２．２．  段階２の結果に基づいて、ＨｅＮＢは、選択されたＢＳの層全てを知ることになる。従って、ＨｅＮＢは、その同期ソースを選択することができ、従って、選択されモニタされたＢＳプラス１の層としてその独自の層を判断することができる。次に、マッピングテーブルに基づいて、ＨｅＮＢは、そのミュート化場所を知ることになる（段階Ｓ５０）。
ａ）同期ソースがｅＮＢである（又は層０を有する）場合、ＨｅＮＢは、レベル１としてその独自の同期層を定義することができる。次に、ＨｅＮＢは、例示的なマッピングテーブルに従ってミュートのために［無線フレーム、サブフレーム］＝［１、２］を構成することになる。全ての他の［無線フレーム、サブフレーム］の組合せは、正常な作業のための正常なサブフレームとして扱われ、すなわち、ブラインド検出方法によって影響を受けない。
ｂ）同期ソースが層１である場合、ＨｅＮＢは、その独自の層がレベル２でなくてはならないと判断する。従って、このＨｅＮＢは、マッピングテーブルに基づいて［１、２］及び［２、２］でミュート化することになる。
ｃ）同期ソースが層２である場合、ＨｅＮＢは、レベル３としてその独自の層を構成することになる。従って、ＨｅＮＢは、ミュート化のために［２、２］及び［３、２］を構成することになる。
ｄ）同期ソースが層３である場合、ＨｅＮＢは、レベル４としてその独自の層を構成することになる。従って、ＨｅＮＢは、マッピングに基づいてミュート化のために［３、２］及び[４、２]を構成することになる。
ｅ）同様に、同期ソース層に基づいて、より高い層に対して、ＨｅＮＢは、同期ソース層プラス１としてその独自の層、及びその対応するミュート化場所を判断することができる。
同じ層を有するいくつかの潜在的な同期ソースが類似の受信信号電力を提供する場合、ＨｅＮＢは、これらの１つをランダムに選択することができ、又は判断のために他の態様を考慮に入れることができる。
【００９４】
３．その独自のミュート化場所を定義した後で、ＨｅＮＢは、正常な作動に戻り、そのミュート化場所では送信しない（Ｓ６０）。
【００９５】
４．起動、所定の指令（例えば、Ｏ＆Ｍ指令）の受信、深刻に劣化している現在の同期ソースなどを条件に、ＨｅＮＢは、新しい同期ソースを判断するために再評価及び決定することができる（段階Ｓ１０の「イエス」）。そうでなければ、ＨｅＮＢは、その現在のミュート化場所でその同期ソースの追跡を続けることになる。
【００９６】
本発明の実施形態はまた、隔離されたネットワークにおける同期を保証することができる。「隔離ネットワーク」は、シナリオと呼ばれ、従って、ＧＮＳＳソース／「Ｍａｃｒｏ  ｅＮＢ」信号は受信できない。互いに聞くことができるこのシナリオに位置したいくつかの自由実行ＨｅＮＢが存在する場合、ネットワークが正常に作動することを保証するために同期が必要になる。ある方式によって又はランダムにこのタイプのネットワークにおける同期ソースとして１つのＨｅＮＢが選択され、他は、レベル毎にそれに続くことになる。
【００９７】
この条件の下で、この隔離されたネットワークにおけるＨｅＮＢの全てが同時に起動しないと仮定する。１つのＨｅＮＢが起動し、全てのＲＦ／ＳＦでいずれのＣＲＳも発見できない場合、１つのＨｅＮＢは、この領域の最初の自由実行ＨｅＮＢであると確実に判断することができる。マッピングテーブルに基づいて、その独自の層が隔離された同期タイプの第１の層であると判断され、作動を開始することができる。次に、第１のＨｅＮＢに続く別のＨｅＮＢをブラインド検出機構に基づいて第１のＨｅＮＢに同期させることができる。
【００９８】
何らかの時点に隔離したネットワークの縁部に位置する新しいＨｅＮＢが作動に入り、更に「Ｍａｃｒｏ  ｅＮＢ」のカバレージ又はＧＮＳＳ同期化ネットワークに到達した場合、この隔離したネットワークにおける全てのＨｅＮＢは、ＧＮＳＳ同期によるのに適切である。次に、「隔離」ネットワークは、その以前の隔離された同期タイプ層マッピングを廃棄し、ＧＮＳＳ同期化ネットワークにおけるその層を判断するためにブラインド検出を実行することができる。
【００９９】
上述のように、隔離されたネットワークのＨｅＮＢ（犠牲者）は、新しいＨｅＮＢがある一定の期間にわたって深刻な干渉によって起動されたことを検出することができる。同期ネットワークにおけるそのミュート化場所に対する深刻な干渉がないので、そのミュート化場所での新しい干渉の発生は、本発明の層構成に対立する層構成を有する場合がある新しいＨｅＮＢが起動されたことを意味する。
【０１００】
新しいＨｅＮＢは、ＧＮＳＳ同期タイプである場合がある。この干渉が最小期間持続する場合、かつ犠牲ＨｅＮＢが分離同期タイプである場合、これは、その層を維持することができず、ＧＮＳＳ同期ＨｅＮＢが近くで起動されたと仮定することができる。更に、犠牲ＨｅＮＢは、新しいセルが「Ｍａｃｒｏ  ＵＥ」干渉の偽警報を防ぐように設定されているか否かを検査するために、ＵＥ測定報告を使用することができる。新しいＮＢがあると犠牲ＨｅＮＢが仮定した場合、犠牲ＨｅＮＢは、ブライド検出を再度実行し、ＧＮＳＳ同期ＨｅＮＢと同期することができる。実施に依存して、再起動は、ブラインド検出の前に実行することができる。
【０１０１】
以下では、同期チェーンを短くすることができる新しいノードがネットワークに追加される場合を詳しく説明する。ＧＮＳＳ同期及び隔離ネットワークの両方に対して考察を加えることができる。
【０１０２】
層とミュート化場所のマッピングの設計に基づいて、図４に示すように、確保されたミュート化場所の高負荷の調節によってノード追加及び除去を極めて滑らかにすることができる。すなわち、ＨｅＮＢは、大きな層（又は隔離ネットワーク）から小さな層に転送することができる。
【０１０３】
図４は、暗い灰色で印を付けられたＲＦ／ＳＦが、上位層リストへの干渉を防ぐためのミュートであるＲＦ／ＳＦであるばかりでなく拡張可能な拡張のためのミュートであるＲＦ／ＳＦであることを除いて、図３に対応する。
【０１０４】
ブラインド検出処理による上述のようなミュート化場所の確保は、深刻な干渉がＨｅＮＢの独自のミュート化場所に起こるまで有効である。その独自のミュート化場所で干渉を受け取った場合、ＨｅＮＢは、低い層のミュート化場所の全てを確保することができ、すなわち、これらのミュート化場所でミュート化することができる。次に、ＨｅＮＢは、これらのミュート化場所をモニタすることができ、その現在の同期ソースの層よりも低い層を有する新しいセルがあるか否かを識別するためにのみ、これらのミュート化場所にブラインド検出を実行することができる。
【０１０５】
ＨｅＮＢが隔離ネットワークの最低層を有する場合、ＨｅＮＢは、新しい同期ソースがＧＮＳＳ同期タイプであるか否かを検出することができる。この場合、ＨｅＮＢは、同期ソースとして新しいセルを使用することができる。従って、同期チェーンが短くなる。次に、ＨｅＮＢは、不要なミュート化場所を解放することができる。
【０１０６】
本発明の実施形態は、時分割二重通信（ＴＤＤ）システムにおけるＨｅＮＢの同期に使用することができるが、周波数分割二重通信（ＦＤＤ）システム及び以下の条件下の他のシステムにも使用することができる。
【０１０７】
無線フレーム／サブフレーム又は他の時間スロットが、同期信号の送信のために使用される場合、システムフレーム番号（ＳＦＮ）は、各ＨｅＮＢの間で整列しなくてはならず、それによって全てのＨｅＮＢによって理解されるマッピング規則におけるミュート化スロットが同じになる。グローバル・システム・フォー・モバイル・コミュニケーション（ＧＳＭ）、ユニバーサル・モバイル・テレコミュニケーション・システム（ＵＭＴＳ）、ＬＴＥ、及びＬＴＥ−ＡのＴＤＤシステムは、配備によって整列されたＳＦＮである。システムが、配備によって整列されたＳＦＮではなく、例えば、ＦＤＤシステムである場合、バックボーンＮＴＰ(１ｍｓでの精度)は、十分な精度でシステムフレーム番号を整列させることができる（１ＲＦが１０ｍｓ持続する）。
【０１０８】
図２は、本発明の実施形態による装置を示している。受信機を１に示し、モニタを２に示し、定義器を３に示し、阻止器を４に示し、判断器を５に示し、送信機を６に示している。
【０１０９】
受信機１は、所定のＲＦ／ＳＦで同期信号を受信するように構成される。
【０１１０】
判断器５は、ブラインド検出の実行をトリガする所定の条件の１つが満足されたか否かを判断する。このような条件は、例えば、起動、特別なＯ＆Ｍ指令、同期信号における強力な干渉、ミュート化時間に同期信号がないこと、及び以前のブラインド検出の後のある一定の時間の経過とすることができる。
【０１１１】
条件が満足された場合、モニタ２は、同期信号を受信したか否かに関して所定のＲＦ／ＳＦの各々をモニタする。ＲＦ／ＳＦは、単に、例えば新しいＢＳを追加することに関して上述したように、層とミュート化場所のマッピングテーブルに定義された全てのＲＦ／ＳＦの部分集合とすることができる。
【０１１２】
モニタ２によるモニタリングの結果から、定義器３は、ＨｅＮＢの新しい層を定義し、新しい層から、マッピングテーブルに基づいて新しいミュート化時間を定義する。
【０１１３】
ブラインド検出の作動中に、すなわち、所定の条件が満たされた時に、阻止器４は、モニタリング中にＲＦ／ＳＦで送信機６が信号を送信することを阻止する。新しいミュート化時間が定義された場合、送信機６は、送信が阻止器４によって阻止されている装置のミュート化場所以外で全てのＲＦ／ＳＦで信号を送信することができる。
【０１１４】
送信機６は、信号、例えば、送信された場所（実施形態では、無線フレーム及びサブフレーム）を除いた受信機１によって受信される信号に同一の同期信号を送信することができる。
【０１１５】
上記に同期のためのブラインド検出に関する本発明の実施形態を説明した。しかし、他の実施形態により、いずれの情報も、同期信号の代わりに送信することができる。
【０１１６】
更に別の実施形態では、ＨｅＮＢ以外の他のノードを実施することができる。これらのノードは、階層的方法で順序付けしなくてはならず、送信される情報は、階層の上部から下部に送信される。上述の実施形態では、層（すなわち、層のタイプと層のレベルの対）又は層レベルのみ（隔離ネットワークが対応する層レベルによってマーク付けされている場合）は、階層レベルに対応する。
【０１１７】
更に別の実施形態では、ＬＴＥネットワークのダウンリンクの代わりに、ノード間の他のリンクを使用することができる。しかし、同期のある一定のレベルが、ミュート時間を識別するために明確に保証されることが重要である。
【０１１８】
上述の実施形態では、ミュート化場所は、ミュート化時間に対応する。すなわち、同期信号のような情報は、所定の期間（タイムスロット）に送信される。
【０１１９】
更に別の実施形態では、情報は、他の次元で、例えば、周波数スロット又は「コードスロット」で送信することができる。これらの場合、ミュート化場所は、ミュート化周波数又はミュート化コードに対応する。
【０１２０】
例えば、実施形態は、ＦＤＤシステムに基づくことができる。信号、例えば、同期信号は、送信機の階層レベルに基づいて所定の周波数で送信することができる。対応する受信側は、この周波数でミュート化する。
【０１２１】
ブラインド検出中に、受信側は、所定の周波数のいくつかでミュート化し、同期信号を受信する場所又はしない場所を検出する。これから、受信側は、送信側の階層レベルを判断し、下方の次のレベルとしてその独自の階層レベルを定義し、これからそのミュート化周波数を定義する。
【０１２２】
本発明の実施形態の一部の利点は以下の通りである。
１．ブラインド検出のこの間接的な方法は、層及び同期ステータスを示すために余分な信号送信を必要とせず、従って、「Ｍａｃｒｏ  ｅＮＢ」に対するいずれの影響も阻止する。
２．本方法はまた、ＦＤＤＨｅＮＢ同期に使用することができる。
３．本方法は、ＨｅＮＢにおけるレベルを３に制限しない。本方法は、実際の配備に従ってレベル数を調節することができる。マッピングテーブルに任意的に提供される反復期間及びいくつかのパラメータの値は、自由に設計することができる。
４．層とミュート化場所のマッピングの適切な設計により、本発明の実施形態はまた、隔離された同期シナリオをサポートすることができ、小さな層に滑らかな転送を提供することができる。
【０１２３】
以上の説明により、本発明の例示的な実施形態が、例えば、進化型ノードＢ、又はその構成要素、進化型ノードＢを実施する装置、進化型ノードＢを制御及び／又は作動する方法、及び進化型ノードＢを制御及び／又は作動するコンピュータプログラム、並びにこのようなコンピュータプログラムを担持してコンピュータプログラム製品を形成する媒体を提供することは明らかであるべきである。
【０１２４】
例えば、上述したものは、「Ｈｏｍｅ  ｅＮｏｄｅＢ」による同期のブラインド検出を実行することができる装置、方法、システム、及びコンピュータプログラム製品である。
【０１２５】
特に、所定の条件が満足されたか否かを判断するように構成された判断手段と、所定の場所で第１の信号を受信するように構成された受信手段と、所定の条件が満足されたと判断手段が判断した場合に複数の所定の場所での第２の信号の送信を阻止するように構成された阻止手段と、所定の条件が満足されたと判断手段が判断した場合に、所定の場所の少なくとも２つに対して第１の信号が所定の場所で受信されたか否かをモニタするように構成されたモニタリング手段と、モニタリング手段のモニタリング結果及び所定の規則に基づいて第１のミュート場所を定義するように構成された定義手段とを含む装置を提供し、第１のミュート場所は、モニタリング手段に従って第１の信号が受信される所定の場所の１つであり、阻止手段は、第１のミュート場所で第２の信号の送信を阻止するように構成される。
【０１２６】
上述のブロック、装置、システム、技術、又は方法のいずれの実施も、非制限的な例として、ハードウエア、ソフトウエア、ファームウエア、特定用途向け回路又は論理、汎用ハードウエア又はコントローラ又は他のコンピュータ装置、又はこれらのいずれかの組合せとしての実施を含む。
【０１２７】
上述したものは、本発明の好ましい実施形態であると現在考えられていることは理解されるものとする。しかし、好ましい実施形態の説明は、例示的に与えられたこと、及び特許請求の範囲によって定められる本発明の範囲から逸脱することなく様々な修正を行うことができることに注意すべきである。
【符号の説明】
【０１２８】
ｒａｄｉｏｆｒａｍｅ＃１  無線フレーム＃１
ｓｕｂｆｒａｍｅ＃２  サブフレーム＃２
Ｓｔｒａｔｕｍ１  層１
Ｓｔｒａｔｕｍ２  層２
【図１】
2014140197.tif 000004
【図２】
2014140197.tif 000005
【図３】
2014140197.tif 000006
【図４】
2014140197.tif 000007
【図５】
2014140197.tif 000008